【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
原稿の画像を読取る画像読取手段と、該手段により読取られた画像データを記憶する画像データ記憶手段と、前記画像読取手段から入力する画像データ又は前記画像データ記憶手段に記憶された画像データを入力して用紙に画像を形成する手段と、画像データ及び画像形成動作を制御するデータの通信を行う通信手段とを有する画像形成装置において、
前記画像形成装置及び通信回線を介して前記通信手段に接続される他の画像形成装置を含む画像形成装置群を構成する各画像形成装置の画像形成動作を、それぞれの画像形成開始タイミングが異なるように制御する出力タイミング制御手段を設け、
前記出力タイミング制御手段に、画像形成開始タイミングを遅延させる各画像形成装置に対し、画像形成開始タイミングの遅延時間を示す遅延情報を含むタイミング制御信号を送信する手段を設けたことを特徴とする画像形成装置。
【請求項２】
請求項１記載の画像形成装置であって、
原稿台に載置された複数枚の原稿を１枚づつ順次前記画像読取手段に給装する自動原稿給装手段と、
該手段に原稿が載置されたことを検出する検出手段と、
該検出手段が原稿の載置を検出したときに、前記出力タイミング制御手段を作動させる手段とを設けたことを特徴とする画像形成装置。
【請求項３】
請求項１又は２のいずれか一項記載の画像形成装置であって、
前記遅延情報を任意に設定する手段を設け、
該手段により設定された遅延情報を含むタイミング制御信号を前記出力タイミング制御手段が出力するようにしたことを特徴とする画像形成装置。
【請求項４】
請求項１乃至３のいずれか一項記載の画像形成装置であって、
前記通信回線を介して受信する前記タイミング制御信号に含まれる前記遅延情報に応じて画像形成開始タイミングを遅延させる手段を設けたことを特徴とする画像形成装置。
【請求項５】
請求項４記載の画像形成装置であって、
前記通信回線を介して受信する前記タイミング制御信号に含まれる前記遅延情報を格納する手段を設けたことを特徴とする画像形成装置。
【請求項６】
原稿の画像を読取る画像読取手段と、該手段により読取られた画像データを記憶する画像データ記憶手段と、前記画像読取手段から入力する画像データ又は前記画像データ記憶手段に記憶された画像データを入力して用紙に画像を形成する手段と、画像データ及び画像形成動作を制御するデータの通信を行う通信手段とを有する画像形成装置を通信回線を介して接続した構成を有する画像形成システムであって、
該画像形成システムを構成する前記画像形成装置の少なくとも１つに、前記各画像形成装置の画像形成動作を、それぞれの画像形成開始タイミングが異なるように制御する出力タイミング制御手段を設け、
前記出力タイミング制御手段に、画像形成開始タイミングを遅延させる各画像形成装置に対し、画像形成開始タイミングの遅延時間を示す遅延情報を含むタイミング制御信号を送信する手段を設けたことを特徴とする画像形成システム。
【請求項７】
請求項６記載の画像形成システムであって、
前記出力タイミング制御手段を有する画像形成装置が、原稿台に載置された複数枚の原稿を１枚づつ順次前記画像読取手段に給装する自動原稿給装手段と、該手段に原稿が載置されたことを検出する検出手段と、該検出手段が原稿の載置を検出したときに、前記出力タイミング制御手段を作動させる手段とを有することを特徴とする画像形成システム。
【請求項８】
請求項６又は７記載の画像形成システムであって、
前記出力タイミング制御手段を有する画像形成装置の少なくとも１つが、該画像形成装置を、他の画像形成装置の画像形成動作を制御する親機に設定する親機設定手段を有することを特徴とする画像形成システム。
【請求項９】
請求項８記載の画像形成システムであって、
前記出力タイミング制御手段を有する画像形成装置の１つが前記親機設定手段により親機に設定され、かつ該親機に設定された画像形成装置以外の前記画像形成装置が子機に設定され、前記親機に設定された画像形成装置が、該子機に設定された画像形成装置の画像形成開始タイミングの遅延時間を示す遅延情報を含むタイミング制御信号を出力するようにしたことを特徴とする画像形成システム。
【請求項１０】
請求項８記載の画像形成システムであって、
前記親機に設定された前記画像形成装置が、前記遅延情報を任意に設定する手段を有し、該手段により設定された遅延情報を含むタイミング制御信号を出力することを特徴とする画像形成システム。
【請求項１１】
請求項９又は１０記載の画像形成システムであって、
前記子機に設定された画像形成装置が、前記親機に設定された画像形成装置から出力される前記タイミング制御信号に含まれる前記遅延情報に応じて画像形成開始タイミングを遅延させるようにしたことを特徴とする画像形成システム。
【請求項１２】
請求項１１記載の画像形成システムであって、
前記子機に設定された画像形成装置が、前記遅延情報を格納する手段を有することを特徴とする画像形成システム。
【請求項１３】
原稿の画像を読取る画像読取手段と、該手段により読取られた画像データを記憶する画像データ記憶手段と、前記画像読取手段から入力する画像データ又は前記画像データ記憶手段に記憶された画像データを入力して用紙に画像を形成する手段と、画像データ及び画像形成動作を制御するデータの通信を行う通信手段とを有する画像形成装置を通信回線を介して接続して、該各画像形成装置の画像形成動作を制御する画像形成動作の制御方法であって、
前記いずれかの画像形成装置から、画像形成開始タイミングを遅延させる各画像形成装置に対し、画像形成開始タイミングの遅延時間を示す遅延情報を含むタイミング制御信号を送信することにより、前記各画像形成装置の画像形成動作をその画像形成開始タイミングが異なるように前記各画像形成装置の画像形成動作を制御することを特徴とする画像形成動作の制御方法。
【請求項１４】
請求項１３記載の画像形成動作の制御方法であって、
前記タイミング制御信号を出力する画像形成装置を親機に設定し、かつ該親機に設定された画像形成装置以外の画像形成装置を子機に設定し、該子機に設定された画像形成装置の画像形成開始タイミングの遅延時間を示する遅延情報を含む前記タイミング制御信号を前記親機に設定された画像形成装置から前記子機に設定された画像形成装置に出力して、該子機に設定された画像形成装置の画像形成動作を制御することを特徴とする画像形成動作の制御方法。
【請求項１５】
請求項１４記載の画像形成動作の制御方法であって、
前記親機に設定された画像形成装置が出力するタイミング制御信号に含まれる遅延情報を任意に設定し、その設定された遅延情報を含むタイミング制御信号を前記子機に設定された画像形成装置に出力して、該子機に設定された画像形成装置の画像形成動作を制御することを特徴とする画像形成動作の制御方法。
【手続補正２】
【補正対象書類名】明細書
【補正対象項目名】０００６
【補正方法】変更
【補正の内容】
【０００６】
この発明は、上記の目的を達成するため、原稿の画像を読取る画像読取手段と、その手段により読取られた画像データを記憶する画像データ記憶手段と、上記画像読取手段から入力する画像データ又は上記画像データ記憶手段に記憶された画像データを入力して用紙に画像を形成する手段と、画像データ及び画像形成動作を制御するデータの通信を行う通信手段とを有する画像形成装置において、上記画像形成装置及び通信回線を介して上記通信手段に接続される他の画像形成装置を含む画像形成装置群を構成する各画像形成装置の画像形成動作を、それぞれの画像形成開始タイミングが異なるように制御する出力タイミング制御手段を設け、上記出力タイミング制御手段に、画像形成開始タイミングを遅延させる各画像形成装置に対し、画像形成開始タイミングの遅延時間を示す遅延情報を含むタイミング制御信号を送信する手段を設けたことを特徴とする。
【手続補正３】
【補正対象書類名】明細書
【補正対象項目名】０００７
【補正方法】変更
【補正の内容】
【０００７】
上記の画像形成装置において、原稿台に載置された複数枚の原稿を１枚づつ順次上記画像読取手段に給装する自動原稿給装手段と、その手段に原稿が載置されたことを検出する検出手段と、その検出手段が原稿の載置を検出したときに、上記出力タイミング制御手段を作動させる手段とを設けるとよい。
また、上記遅延情報を任意に設定する手段を設け、その手段により設定された遅延情報を含むタイミング制御信号を上記出力タイミング制御手段が出力するようにするとよい。
【手続補正４】
【補正対象書類名】明細書
【補正対象項目名】０００８
【補正方法】変更
【補正の内容】
【０００８】
また、上記通信回線を介して受信する上記タイミング制御信号に含まれる上記遅延情報に応じて画像形成開始タイミングを遅延させる手段を設けるとよい。
この場合、上記通信回線を介して受信する上記タイミング制御信号に含まれる上記遅延情報を格納する手段を設けるとよい。
また、この発明は、原稿の画像を読取る画像読取手段と、その手段により読取られた画像データを記憶する画像データ記憶手段と、上記画像読取手段から入力する画像データ又は上記画像データ記憶手段に記憶された画像データを入力して用紙に画像を形成する手段と、画像データ及び画像形成動作を制御するデータの通信を行う通信手段とを有する画像形成装置を通信回線を介して接続した構成を有する画像形成システムにおいて、その画像形成システムを構成する上記画像形成装置の少なくとも１つに、上記各画像形成装置の画像形成動作を、それぞれの画像形成開始タイミングが異なるように制御する出力タイミング制御手段を設け、上記出力タイミング制御手段に、画像形成開始タイミングを遅延させる各画像形成装置に対し、画像形成開始タイミングの遅延時間を示す遅延情報を含むタイミング制御信号を送信する手段を設けた画像形成システムを提供する。
【手続補正５】
【補正対象書類名】明細書
【補正対象項目名】０００９
【補正方法】変更
【補正の内容】
【０００９】
この画像形成システムは、上記出力タイミング制御手段を有する画像形成装置が、原稿台に載置された複数枚の原稿を１枚づつ順次上記画像読取手段に給装する自動原稿給装手段と、その手段に原稿が載置されたことを検出する検出手段とその検出手段が原稿の載置を検出したときに、上記出力タイミング制御手段を作動させる手段とを有するとよい。
また、上記出力タイミング制御手段を有する画像形成装置の少なくとも１つが、その画像形成装置を、他の画像形成装置の画像形成動作を制御する親機に設定する親機設定手段を有するとよい。
【手続補正６】
【補正対象書類名】明細書
【補正対象項目名】００１０
【補正方法】変更
【補正の内容】
【００１０】
この画像形成装置は、上記出力タイミング制御手段を有する画像形成装置の１つが上記親機設定手段により親機に設定され、かつその親機に設定された画像形成装置以外の上記画像形成装置が子機に設定され、上記親機に設定された画像形成装置が、その子機に設定された画像形成装置の画像形成開始タイミングの遅延時間を示す遅延情報を含むタイミング制御信号を出力するとよい。
また、上記親機に設定された上記画像形成装置が、上記遅延情報を任意に設定する手段を有し、その手段により設定された遅延情報を含むタイミング制御信号を出力するようにしてもよい。
さらに、子機に設定された画像形成装置が、上記親機に設定された画像形成装置から出力される上記タイミング制御信号に含まれる上記遅延情報に応じて画像形成開始タイミングを遅延させるようにするとよい。
上記子機に設定された画像形成装置が上記遅延情報を格納する手段を有するようにするとよい。
【手続補正７】
【補正対象書類名】明細書
【補正対象項目名】００１１
【補正方法】変更
【補正の内容】
【００１１】
そしてこの発明は、原稿の画像を読取る画像読取手段と、その手段により読取られた画像データを記憶する画像データ記憶手段と、上記画像読取手段から入力する画像データ又は上記画像データ記憶手段に記憶された画像データを入力して用紙に画像を形成する手段と、画像データ及び画像形成動作を制御するデータの通信を行う通信手段とを有する画像形成装置を通信回線を介して接続して、その各画像形成装置の画像形成動作を制御する画像形成動作の制御方法であって、上記いずれかの画像形成装置から、画像形成開始タイミングを遅延させる各画像形成装置に対し、画像形成開始タイミングの遅延時間を示す遅延情報を含むタイミング制御信号を送信することにより、上記各画像形成装置の画像形成動作をその画像形成開始タイミングが異なるように制御する画像形成動作の制御方法を提供する。
この画像形成動作の制御方法は、タイミング制御信号を出力する画像形成装置を親機に設定し、かつその親機に設定された画像形成装置以外の画像形成装置を子機に設定し、その子機に設定された画像形成装置の画像形成開始タイミングの遅延時間を示す遅延情報を含む上記タイミング制御信号を上記親機に設定された画像形成装置から上記子機に設定された画像形成装置に出力して、その子機に設定された画像形成装置の画像形成動作を制御するようにするとよい。
この画像形成動作の制御方法は、親機に設定された画像形成装置のタイミング制御信号に含まれる遅延情報を任意に設定し、その設定された遅延情報を含むタイミング制御信号を上記子機に設定された画像形成装置に出力して、その子機に設定された画像形成装置の画像形成動作を制御するようにするとよい。